(57)【要約】
【課題】　乳幼児を左右に揺動可能であると共に、乳幼児の頭部を上下に調整可能な乳幼児用枕を得る。
【解決手段】　複数の支持部１ｂ・１ｃを有する基台１と、この支持部１ｂ・１ｃに揺動自在に支持される揺動板３と、この揺動板３の一端に乳幼児１０の頭部の大きさに合わせて調節可能に支持される一対の頭部受け部材５を備える。
【選択図】　図１
0003100172.tif 000002
【実用新案登録請求の範囲】
【請求項１】
　複数の支持部を有する基台と、この基台の上記支持部に揺動自在に支持される揺動板と、この揺動板の一端に乳幼児の頭部の大きさに合わせて調節可能に支持される一対の頭部受け部材とを備えたことを特徴とする乳幼児用枕。
【請求項２】
　上記揺動板は、上下動調整機構を備えたことを特徴とする請求項１記載の乳幼児用枕。
【請求項３】
　上記頭部受け部材に乳幼児の頭部を乗せ、上記乳幼児の胸部付近に載置され、ほ乳びんを保持する授乳補助部材を備えたことを特徴とする請求項１または２記載の乳幼児用枕。
【請求項４】
　上記授乳補助部材は、上記胸部の形状に沿うような湾曲部を設けたことを特徴とする請求項３記載の乳幼児用枕。
【考案の詳細な説明】
【考案の詳細な説明】
【技術分野】
【０００１】　本考案は、乳幼児の授乳を容易にする乳幼児用の枕に関するものである。
【背景技術】
【０００２】　従来の乳児用枕として、揺動形状としてＸ軸にスライドすることで、左右の動きに対応し、その機能を保持するために、複雑な機能をもたせている構成のものがある。（例えば、特許文献１参照）。【０００３】　また、枕として、半円アーチ型を採用して身体の動きに対してスムーズに揺動するように構成されたものがある。（例えば、特許文献２参照）。【０００４】　また、乳児用枕として、長方形状の枕殻収納部を複数個ならべたものに矯正片をかさねることで構成されるものがある。（例えば、特許文献３参照）。【０００５】　また、枕として、充填材の量で高さ調節をする構成をもつものがある。（例えば、特許文献４参照）。【０００６】
【特許文献１】　実公昭４６−６６１３号公報（第２頁、第１図）
【特許文献２】　特開２００２−２９１５９９号公報（第３頁、第１図）
【特許文献３】　特開平１０−７５８６３号公報（第３頁、第３図）
【特許文献４】　実公平１−１８０９６５号公報（第９頁、第１・２図）
【考案が解決しようとする課題】
【０００７】　特許文献１に示された乳児用枕は、高さ調節にタオル等を使用し、上下運動は考慮されていなかった。
【０００８】　また、特許文献２に示された枕には、上下運動の機能は考慮されていない。
【０００９】　また、特許文献３に示された乳児用枕には、乳幼児を左右に揺動する機能に関しては考慮されていない。
【００１０】　また、特許文献４に示された枕は、高さ調節に充填材を使用しなくてはならず、使用する人によって充填材の量の調節をしなければならない。
【００１１】　この考案の乳幼児用枕は、乳幼児を左右に揺動可能であると共に、乳幼児の頭部を上下に調整可能な乳幼児用枕を得ることを目的とする。
【課題を解決するための手段】
【００１２】　この考案の乳幼児用枕は、複数の支持部を有する基台と、この基台の上記支持部に揺動自在に支持される揺動板と、この揺動板の一端に頭部の大きさに合わせて調節可能に支持される一対の頭部受け部材とを備えたものである。
【００１３】　また、上記揺動板は、上下動調整機構を備えたものである。
【００１４】　また、上記頭部受け部材に乳幼児の頭部を乗せ、上記乳幼児の胸部付近に載置され、ほ乳びんを保持する授乳補助部材を備えたものである。
【００１５】　また、上記授乳補助部材は、上記胸部の形状に沿うような湾曲部を設けたものである。
【考案を実施するための最良の形態】
【００１６】実施の形態１．
　図１は、この考案の実施の形態１を示す乳幼児用枕の斜視図である。図２は、この考案の揺動板を示す図であり、（Ａ）は斜視図、（Ｂ）は側面図である。図３は、この考案の乳幼児用枕の側面図である。図４は、この考案の乳幼児用枕のツマミ部の拡大図である。図５は、この考案の乳幼児用枕の頭部受け部材の斜視図である。【００１７】　図において、１は基台であり、板状の基盤１ａとこの基盤１ａのほぼ中央部に突設し、一対の支持部１ｂ，１ｃ（図３に示す）で構成されている。３は揺動板であり、図２に示すように、基台１の一方の支持部１ｂに係合する一対の第一の保持部３ａと、この保持部３ａからＹ字状にのびる一対の翼部３ｂと、基台１の他方の支持部１ｃに係合する第二の保持部３ｃを有している。３ｄは第一の支持部３ａに設けられた細長の貫通孔、３ｅは翼部３ｂに設けられたねじ穴である。【００１８】　４は第一の支持部３ａに揺動板３を揺動自在に保持する固定部材であり、図４に示すように、円柱状の一端部にねじが形成されたねじ部４ａと、このねじ部４ａより大きい外径のストッパー部４ｂと、ツマミ４ｃとで形成されている。【００１９】　５は頭部受け部材であり、図５に示すように、ほぼＬ字状に湾曲した形状に形成された頭保持部５ａと、揺動板３の翼部３ｂに係合する一対の係合部５ｂが形成され、一方の係合部５ｂには長孔５ｃが設けられている。【００２０】　６は揺動板３に一対の頭部受け部材５を固定する調整ねじであり（図１に示す）、後述する一対の頭保持部材５の間に乳幼児の頭を置く時、頭部の大きさに合わせて一対の頭部受け部材５を左右に移動することにより調節可能であり、調節後に調整ねじ６により固定する。【００２１】　次に、上述のように形成された乳幼児用枕について図６〜図１２に基づき使用方法を説明する。【００２２】　図６〜図１２は、本考案の乳幼児用枕の使用方法を説明する図面である。図６は、乳幼児用枕の頭部受け部材が、頭部の大きさに合わせて調節可能であることを示す斜視図である。図７は、乳幼児用枕が左右に揺動可能であることを示す斜視図である。図８は、乳幼児用枕が上下運動可能であることを示す斜視図である。図９は、乳幼児用枕が上下運動を可能にする調整ねじの機能を説明する斜視図である。【００２３】　まず、図６において、乳幼児用枕の頭部受け部材５を乳幼児１０（図１２に示す）の頭の大きさに合わせて調節する方法を説明する。揺動板３に載置された頭部受け部材５には、長孔５ｃが形成されているので、矢印方向に左右に移動可能であり、乳幼児１０の頭の大きさに合わせた位置で調整ねじ６で締め付けることにより調節が可能である。【００２４】　また、図７において、乳幼児１０の絶え間ない動きに対してツマミ４（図６に示す）を少しゆるめて揺動板３と支持部１ｂとの締め付け具合を調節することにより、頭部受け部材５および乳幼児１０が左右に揺動が可能である。【００２５】　また、図８において、乳幼児１０は左右に動くだけでなく、上下に動くことも考えられる。そこで図７及び図９に示すように、ツマミを調節することで上下運動も可能となる。これは、揺動板３の貫通孔３ｄを縦に細長くすることで可能となる。【００２６】　すなわち、図８及び図９に示すように、基台１の一対の支持部１ａに揺動板３の第一の支持部３ａを係合させ、固定部材４で支持部１ａに揺動板３を固定することができるが、揺動板３には細長の貫通孔３ｄが設けられているので、揺動板３を貫通孔３ｄの長手方向（矢印Ｙで示す）に移動して、固定部材４により支持部３に揺動板５を固定すれば、揺動板５を上下に移動調節が可能であり、上下調整機構が構成されている。【００２７】実施の形態２．
　図１０は、この考案の実施の形態２の乳幼児用枕に乳幼児を載せて授乳する状態を示す斜視図である。図１１は、図１０に示す乳幼児用枕に乳幼児を載せ、乳幼児の胸部付近に載置されるほ乳びんを保持する授乳補助部材の斜視図である。図１２は、ほ乳びんを保持する授乳補助部材の拡大図である。【００２８】　図１０において、９は頭部受け部材５の上に敷かれた敷き布団、１０はこの敷き布団９の上に寝かされた乳幼児、９ａは乳幼児１０を保持するバンド、１１は乳幼児１０の胸部付近に載置された授乳補助部材であり、一端側に乳幼児の胸部の形状に沿う様な湾曲部１２ａを有するクッション１２と、このクッション１２の他端側に装着されるクリップ１３とで構成されている。１４はクリップ１３に保持されるほ乳びんである。【００２９】　クリップ１３は、図１２に示すようにほ乳びん１４を固定するＵ字型の第一のクリップ１３ａと、クッション１２の切り込み１２ｂに挿入される逆Ｖ字状の第二のクリップ１３ｂとで形成されており、クッション１２に切り込み１２ｂを２ヶ所に儲け、そこにほ乳びん１４を固定するクリップ１３の第二のクリップ１３ｂを差し込むことにより、クッション１２にクリップ１３がしっかりと固定される。【００３０】　なお、上述の実施の形態１および２においては、基台１、揺動板３及び及び頭部受け部材５等の材質として、身体に安全な合成樹脂で形成されているが、その他に曲げ板、環境ホルモンを考えた木材を使用してもよい。【００３１】　なお、ツマミ４の固定部材４ａが回転の軸になるので、左右の動きに対応でき、揺動板３の細長の貫通孔３ｄにより上下の動きにも対応できるものとなっている。【００３２】　また、授乳時にも対応できるので、乳幼児１０をもつお母さん方の時間に余裕が生まれる。
【考案の効果】
【００３３】　この考案の乳幼児用枕によれば、複数の支持部を有する基台と、この基台の上記支持部に揺動自在に支持される揺動板と、この揺動板の一端に頭部の大きさに合わせて調節可能に支持される一対の頭部受け部材とを備えるようにしたので、乳幼児を左右に揺動可能であると共に、乳幼児の頭部を上下に調節可能となる。
【００３４】　また、枕が回転可能であるため乳幼児の動きに対応でき、かつ授乳時にも使用できる。平らなベットとは違い斜体になるのでまるで抱っこをされているように落ち着き、授乳時にもほ乳びんが落ちることなく与えることができる。
【００３５】　また、乳幼児用枕の授乳補助部材を設けるようにしたので、産婦人科など乳幼児の授乳時にほ乳びんが倒れることなく与えることが可能になる。
【図面の簡単な説明】
【図１】この考案の実施の形態１を示す斜視図である。
【図２】揺動自在に支持される受け台を示す斜視図である。
【図３】ツマミ部を含めた乳幼児用枕の側面図である。
【図４】ツマミ部の拡大図である。
【図５】揺動を調節するツマミ部の拡大図である。
【図６】頭部受け部材の一方の斜視図である。
【図７】左右揺動機能を示す斜視図である。
【図８】上下揺動機能を示す斜視図である。
【図９】上下揺動機能を可能とするネジ孔の拡大図である。
【図１０】本考案を使用した場合のイメージ図である。
【図１１】授乳補助器材クッションの拡大図である。
【図１２】授乳補助器材ほ乳びん固定部材の拡大図である。
【符号の説明】
　１　基台、１ｂ，１ｃ　支持部、３　揺動板、５　頭部受け部材、１０　乳幼児、１１　授乳補助部材、１４　ほ乳びん
【図１】
0003100172.tif 000003
【図２】
0003100172.tif 000004
【図３】
0003100172.tif 000005
【図４】
0003100172.tif 000006
【図５】
0003100172.tif 000007
【図６】
0003100172.tif 000008
【図７】
0003100172.tif 000009
【図８】
0003100172.tif 000010
【図９】
0003100172.tif 000011
【図１０】
0003100172.tif 000012
【図１１】
0003100172.tif 000013
【図１２】
0003100172.tif 000014